(57)【特許請求の範囲】
【請求項１】
円筒状の圧力容器内部の一端側に設置された熱源及びファンと、
前記圧力容器の延長方向に延長し、前記圧力容器内部に敷設された床板下部を避けた前記圧力容器の内壁面円周上において円周方向に均等分割した位置に配設され、前記ファンによって送風された空気を圧力容器の他端側で排出する複数のダクトと、
前記複数のダクトの各排出口に設けられ、前記圧力容器の同一円周方向に延長するプレートと、
を備え、
前記ファンによって送風された空気を前記複数のダクトの排出口から前記圧力容器の円周方向に向けて排出する加硫缶。
【請求項２】
前記複数のダクトが前記圧力容器の内壁面円周上において互いに対向して配設され、各排出口のプレートが同一円周方向に延長する請求項１記載の加硫缶。
【請求項３】
前記ダクトの配置を前記圧力容器の内壁面円周上において２箇所とした請求項１又は請求項２に記載の加硫缶。
【請求項４】
円筒状の圧力容器内部に当該圧力容器の延長方向に沿って複数のタイヤを格納し、前記圧力容器を密閉する工程と、
前記圧力容器内部の一端側に設置された熱源及びファンを駆動し、前記ファンによって送風された空気を、前記圧力容器の延長方向に延長し、前記圧力容器内部に敷設された床板下部を避けた前記圧力容器の内壁面円周上において円周方向に均等分割した位置に配設された複数のダクトにより圧力容器の他端側で排出する工程とを備え、
複数のダクトの各排出口から排出される空気を、前記複数のダクトの各排出口に設けられ、前記圧力容器の同一円周方向に延長するプレートにより前記圧力容器の同一円周方向に向けて排出し、前記複数のタイヤを前記圧力容器の円周方向に旋回する旋回流内で加硫するタイヤの製造方法。
【発明の詳細な説明】
【技術分野】
【０００１】
本発明は、タイヤを加硫成形する際に好適に用いられる加硫缶に関し、特に内部の温度分布を均一化することが可能な加硫缶、及び、当該加硫缶によりタイヤを製造する方法に関する。
【背景技術】
【０００２】
リトレッドタイヤと呼ばれるタイヤの製造方法の一工程として、タイヤの基礎となる台タイヤと、当該台タイヤの円周方向に貼着されるトレッドゴムとをエンベロープ内に収容し、エンベロープ内の圧力を減圧した状態で加硫缶内に投入することにより、台タイヤとトレッドゴムとの間に介在する接着層としてのクッションゴムを加硫し、両者を強固に一体化する加硫工程が存在することが知られている。
加硫工程において用いられる加硫缶は、エンベロープに収容された複数組のタイヤ（台タイヤ及びトレッドゴム）を格納可能な円筒状の圧力容器と、円筒状の圧力容器の延長方向一側部に設けられ、圧力容器内の空気を加熱する熱源と、当該熱源の近傍に配設され、熱源によって加熱された空気を循環させるファンと、圧力容器の延長方向他側部に開閉自在に設けられた気密扉とを備える。
また、圧力容器の内壁面には、圧力容器の延長方向に沿って延長するダクトが配設され、熱源によって加熱された空気は、ファンによりダクト内に供給され、ダクト内を通る空気がファンとは反対側に設けられた気密扉側において排出される。
そして、気密扉側において排出された空気は、気密扉の壁面に衝突して圧力容器内をファン側に向かって流れ出し、圧力容器内に格納された複数組のタイヤを加熱しながら熱源に到達し、ファン及びダクトによって再び気密扉側から排出される。
つまり、加硫缶は、圧力容器内において加熱された空気を延長方向に向かって循環させることにより、内部に格納された複数組のタイヤを加熱する構成である。また、圧力容器内の圧力は、例えば６気圧から８気圧程度にまで加圧されており、格納された台タイヤ及びトレッドゴムは、エンベロープ内において加熱，加圧された状態で加硫が進行する。
【０００３】
しかしながら、図８（ａ）に示す気流分布から明らかなように、従来の加硫缶においては、気密扉側において排出された空気が圧力容器内をファン側へ向けて流れ込む過程において上昇気流となり易く、圧力容器上部においては空気が活発に流動するものの、圧力容器下部においては空気の滞留が生じ易くなる。
また、図８（ｂ）に示す温度分布から明らかなように、圧力容器内における気流分布の差は圧力容器内における温度分布の差として表れ、特に滞留部における温度上昇が遅くなり、結果として加硫時間が長くなるという問題が生じる。
さらに、圧力容器内には通常、複数組のタイヤを格納して加硫を行うが、温度分布が不均一であることに起因して、加熱された空気から各タイヤが受ける熱履歴が圧力容器内における位置によってそれぞれ異なることとなるため、同一の加硫缶によって加硫されたタイヤであっても熱履歴の違いによる品質のバラツキが生じることが懸念される。具体的には、熱履歴の違いがタイヤの転がり抵抗性に影響を及ぼすものと考えられるため、圧力容器内における位置によってタイヤの転がり抵抗性にバラツキが生じることが懸念される。
特許文献１には、温度分布を均一化するための設備として、成形物を格納する炉を二重構造とするとともに、炉内に複数の補助熱源を設け、さらに補助熱源の位置に対応するように炉内において回転する撹拌用のファンを設けることにより、炉内のガスを撹拌，混合し、炉内の温度差を均一化する構造が開示されているが、当該設備は、従来の加硫缶と比して大型であって、さらに複数の動力源が必要であることからエネルギー損失が極めて大きくなるという問題がある。
また、特許文献２には、ダクトを開閉する複数のダクトバルブを設け、ダクトバルブを開閉動作させることにより炉内に乱流を発生させることが開示されているが、ダクトバルブを開閉させる駆動源や制御システムが別途必要となり、設備の大型化、エネルギー損失の増大といった問題点を避けることはできない。
【先行技術文献】
【特許文献】
【０００４】
【特許文献１】特開２００６−８８０４９号公報
【特許文献２】特表２００８−５００８９８号公報
【発明の概要】
【発明が解決しようとする課題】
【０００５】
本発明は上記課題を解決すべくなされたものであり、規模の大型化及びエネルギー損失の増大を避け、圧力容器内における温度分布を均一化することが可能な加硫缶、及び、当該加硫缶を用いたタイヤの製造方法を提供する。
【課題を解決するための手段】
【０００６】
上記課題を解決するための加硫缶に係る構成として、円筒状の圧力容器内部の一端側に設置された熱源及びファンと、圧力容器の延長方向に延長し、圧力容器内部に敷設された床板下部を避けた圧力容器の内壁面円周上において円周方向に均等分割した位置に配設され、ファンによって送風された空気を圧力容器の他端側で排出する複数のダクトと、複数のダクトの各排出口に設けられ、圧力容器の同一円周方向に延長するプレートとを備え、ファンによって送風された空気を複数のダクトの排出口から圧力容器の円周方向に向けて排出する構成とした。
本構成によれば、一端側に設置された熱源によって加熱され、ファン及び複数のダクトによって圧力容器の他端側に流れ込んだ空気が、ダクトの排出口から圧力容器の円周方向に向けて排出されるため、一端側から他端側へ流れ込む空気が圧力容器の円周方向に沿って旋回する旋回流となって、圧力容器内全体に強制的な対流を生じさせ、圧力容器内の停留がなくなることにより、熱源によって加熱された空気が圧力容器内に行き渡るので、圧力容器内における温度分布を均一化することが可能となる。よって、本発明の加硫缶によれば、圧力容器内部における位置にかかわらず、タイヤを均一に加硫することができる。
また、排出口から排出される空気が圧力容器の円周方向に傾斜するプレートに沿って排出されるため、前記構成から生じる効果に加え、簡易な構成により圧力容器内に旋回流を発生させることができる。
また、ダクトが圧力容器の内壁面円周上において円周方向に均等分割された位置に複数配設されたダクトの各排出口のプレートが同一円周方向に延長するため、各排出口のプレートに沿って排出された空気が圧力容器内において発生する旋回流を容易に生じさせるので、旋回流の流速を円周上において均一化することができ、圧力容器内における温度分布をより一層均一化することが可能となる。
また、ダクトを床板下部に設けた場合と比較して、ダクトを保護するために作業者や搬入台車が通る床板の耐久性を高める必要がなくなり、製造コストを抑制することができる。
また、加硫缶に係る他の構成として、ダクトが圧力容器の内壁面円周上において互いに対向して配設され、各排出口のプレートが同一円周方向に延長する構成とした。
本構成によれば、各構成から生じる効果に加え、ダクトが圧力容器の内壁面円周上において円周方向に互いに対向して配設されたダクトの各排出口のプレートが同一円周方向に延長するため、互いに対向して配設されるダクトの各排出口から排出された空気が、圧力容器内において発生する旋回流を容易に生じさせるので、旋回流の流速を円周上において均一化することができ、圧力容器内における温度分布をより一層均一化することが可能となる。
また、加硫缶に係る他の構成として、ダクトの配置を圧力容器の内壁面円周上において２箇所とする構成とした。
本構成によれば、ダクトの配置が圧力容器の内壁面円周上において２箇所であることにより、製造コストを抑制しつつ、圧力容器内に確実に旋回流を発生させることができる。
また、タイヤの製造方法に関する形態として、円筒状の圧力容器内部に当該圧力容器の延長方向に沿って複数のタイヤを格納し、圧力容器を密閉する工程と、圧力容器内部の一端側に設置された熱源及びファンを駆動し、ファンによって送風された空気を、圧力容器の延長方向に延長し、圧力容器内部に敷設された床板下部を避けた圧力容器の内壁面円周上において円周方向に均等分割した位置に配設された複数のダクトにより圧力容器の他端側で排出する工程とを備え、複数のダクトの各排出口から排出される空気を、複数のダクトの各排出口に設けられ、圧力容器の同一円周方向に延長するプレートにより圧力容器の同一円周方向に向けて排出し、複数のタイヤを圧力容器の円周方向に旋回する旋回流内で加硫する形態とした。
本形態によれば、複数のタイヤが圧力容器の円周方向に旋回する旋回流内で加硫されることにより、複数のタイヤが受ける熱履歴が均一なものとなるため、圧力容器内における位置によらず、均一な性能を有するタイヤを得ることが可能となる。
【図面の簡単な説明】
【０００７】
【図１】本発明に係る加硫缶を示す概略図。
【図２】複数のダクトを示す正面図。
【図３】ダクトの排出口を示す拡大斜視図。
【図４】ダクトの位置関係を示す概略図（他の形態）。
【図５】タイヤを示す分解斜視図及び幅方向断面図。
【図６】旋回流を模式的に示す概略図。
【図７】従来の加硫缶及び本発明の加硫缶内部の温度変化示すグラフ。
【図８】従来の加硫缶内部の気流分布、及び、温度分布を示す模式図。
【発明を実施するための形態】
【０００８】
図１は、本発明に係る加硫缶１の内部構造を示す概略図である。
同図において加硫缶１は、一端が閉塞した円筒状に形成され、内部に複数のタイヤ１０を格納可能な圧力容器２と、圧力容器２の他端部において開閉自在に設けられた気密扉３とを備える。
圧力容器２の周壁部は、内部に円周方向に沿って隙間なく配置された図外の断熱材等によるライニングが施されており、内部に複数のタイヤ１０を格納，加硫可能な加硫領域Ｒ１が形成される。
【０００９】
気密扉３は、圧力容器２の開口した端部において開閉自在に設けられる扉であって、円筒状の圧力容器２と同心に形成される。気密扉３は、周囲に配設された図外のシール材等を介して圧力容器２の開口部を閉塞し、圧力容器２内に供給される空気が外部に漏洩することを防止する。つまり、一端が閉塞した圧力容器２は、気密扉３が閉じられることにより密閉空間として維持される。
【００１０】
圧力容器２の下側半部よりも下方には、圧力容器２の延長方向に沿って延長する床板４が敷設される。圧力容器２内への搬入に際しては、床板４上を走行可能な台車等を用いて複数のタイヤを気密扉３が設けられた開閉端側から閉塞端側へと搬入し、圧力容器２内に設けられた図外のフックに順に吊下げ、複数のタイヤ１０を圧力容器２の延長方向に沿って並べて格納する。
【００１１】
ここで、本実施形態に係る加硫缶１内に格納されるタイヤ１０について概説する。図５は、加硫缶１によって加硫されるタイヤ１０の一例としての未加硫のリトレッドタイヤを分解して示す斜視図及び幅方向断面図である。同図に示すように、タイヤ１０は、土台となる台タイヤ１１と、台タイヤ１１の円周方向表面に貼着されるクッションゴム１２、及び、クッションゴム１２を介して台タイヤ１１の円周方向表面に巻き付けられるトレッドゴム１３とから構成される。
【００１２】
台タイヤ１１は、環状のスチールコード等の部材からなる一対のビード部１１Ａと、一対のビード部１１Ａを跨ぐようにトロイダル状に延長するサイド部１１Ｂ及びクラウン部１１Ｃを有する。クラウン部１１Ｃの内部には、複数のベルトが半径方向に積層される。台タイヤ１１は、例えば使用済みタイヤのトレッド部を切削（バフ掛け）することや、表面にトレッドパターンに対応する凹凸を有さない金型を備えるモールドによって加硫することにより得ることができる。また、台タイヤ１１の加硫度は、製品タイヤに要求される加硫度以下の半加硫の状態であってもよい。
【００１３】
クッションゴム１２は、台タイヤ１１及びトレッドゴム１３と略同様の組成からなる未加硫のゴムであって、加硫缶１によって加硫されることにより、台タイヤ１１とトレッドゴム１３とを一体化させる接着層として機能する。トレッドゴム１３は、台タイヤ１１の周長に対応する長さを有する帯状であって、台タイヤ１１のクラウン部１１Ｃ上に巻き付けられた状態で加硫されることにより、製品タイヤのトレッド部となる部材である。帯状のトレッドゴム１３は、例えば一方の金型に所望のトレッドパターンに対応する凹凸が形成されたプレス型の加硫装置にて加硫することにより得ることができる。
また、プレス型の加硫装置によって得られた帯状のトレッドゴム１３は、台タイヤ１１のクッションゴム１２が貼着された円周方向表面に沿って巻き付けられ、端部同士が接合されることにより台タイヤ１１と予備的に一体化される。
なお、トレッドゴム１３の成形装置は、プレス型に限られるものではなく、例えば円環状のトレッドゴム１３を成形可能な専用のモールドによって加硫成形してもよい。当該専用のモールドによって成形された円環状のトレッドゴム１３を台タイヤ１１に巻き付けるためには、図外の拡径装置によってトレッドゴム１３を拡径しつつ、トレッドゴム１３を台タイヤ１１の外周側に配置し、再び元の外径に縮径することにより行われる。また、トレッドゴム１３の加硫度は、台タイヤ１１と同様に、製品タイヤに要求される加硫度以下の半加硫の状態であってもよい。
【００１４】
上述の構成を備えるタイヤ１０は、エンベロープと呼ばれる図外の袋体に収容され、圧力容器２内に吊り下げられる。エンベロープ内の圧力は大気圧以下に減圧されており、エンベロープの内表面はトレッドゴム１３の外表面に密着する。つまり、タイヤ１０がエンベロープ内に収容されると、トレッドゴム１３は、台タイヤ１１の円周方向表面に対して押し付けられた状態のまま維持される。
なお、加硫缶１の圧力容器２内に格納されるタイヤ１０の一例として、加硫済みの台タイヤ１１、及び、加硫済みのトレッドゴム１３とを備えるリトレッドタイヤについて説明したが、加硫缶１に格納されるタイヤ１０は、上記構成に限られるものではなく、成形過程に加硫を工程を含むものであれば如何なるタイヤであってもよい。
【００１５】
図１に戻り、再び圧力容器２の構造について説明する。
圧力容器２内の一端側である閉塞端側には、空気供給領域Ｒ２が形成される。空気供給領域Ｒ２は、加硫領域Ｒ１を仕切る隔壁７によって形成された領域であって、当該領域内には、加硫領域Ｒ１内の空気を加熱しつつ循環させる熱源５及びファン６が設置される。
【００１６】
熱源５は、隔壁７内の中央に配置される。熱源５は、例えば電気的に加熱されるヒータであって、ヒータに供給する電力を制御することにより所定温度に発熱する。
ファン６は、熱源５よりも閉塞端側に配置され、モータ６Ａとモータ６Ａの駆動により回転する回転翼６Ｂとにより構成される。ファン６は、モータ６Ａを駆動することにより回転翼６Ｂが回転し、加硫領域Ｒ１内の空気を空気供給領域Ｒ２内に取り込みながら熱源５によって加熱するとともに、空気供給領域Ｒ２内の空気を圧縮して、気密扉３側で開口する後述のダクト８の取り込み口９Ａに空気を送出する。
つまり、ファン６が駆動することにより加硫領域Ｒ１側から空気供給領域Ｒ２側に流入する空気を熱源５によって加熱しながら空気供給領域Ｒ２の気圧を高めることにより、空気供給領域Ｒ２内に設けられた複数のダクト８の取り込み口９Ａに空気を流入させて、気密扉３側で開口するダクト８の排出口９Ｂから加熱された空気を排出する構成である。
【００１７】
図１に示すように、ダクト８は、圧力容器２の内周壁面２Ａの延長方向に沿って空気供給領域Ｒ２から加硫領域Ｒ１を経て気密扉３側へと延長する配管である。また、図２の正面図に示すように、本実施例におけるダクト８は、圧力容器２の内周壁面２Ａに対して２箇所配設される（以下、ダクト８Ａ，８Ｂとする）。一方のダクト８Ａと他方のダクト８Ｂとは、圧力容器２の内周壁面２Ａの円周方向において互いに相対峙するように均等な間隔をもって配設される。
ダクト８Ａ；８Ｂは、圧力容器２の延長方向に沿って延長する断面矩形の管体であって、熱源５によって加熱された空気を排出する排出口９Ｂが気密扉３側において開口する。
つまり、圧力容器２の一端側である閉塞端側に位置する熱源５及びファン６によって加熱，送出された空気は、ダクト８Ａ；８Ｂを通って圧力容器２の他端側である開閉端側に位置する気密扉３に向けて排出される。
【００１８】
図３は、気密扉３に向けて空気を排出するダクト８Ａ；８Ｂの排出口９Ｂ近傍を示す拡大斜視図である。
同図に示すように、ダクト８Ａ；８Ｂは、圧力容器２の内周壁面２Ａから相対峙して立ち上がる一対の板片２１；２１と、一対の板片２１；２１と連接し、圧力容器２の内周壁面２Ａと対向する導風板２２とに囲まれた管体である。
ダクト８Ａ；８Ｂにおける開閉端側で終端する排出口９Ｂには、複数の排出プレート２０が設けられる。排出プレート２０は、ダクト８Ａ；８Ｂの延長方向に沿って長尺な板体であって、ダクト８Ａ；８Ｂの内部に配設される。
より詳細には、排出プレート２０は、圧力容器２の内周壁面２Ａとダクト８の導風板２２との間に図外の締結手段を介して、或いは、溶接により固定される。また、排出プレート２０は、ダクト８Ａ；８Ｂの内部から排出口９Ｂに向かうに従って、内周壁面２Ａの矢印で示す円周方向の一方に向けて湾曲し、先端部２０Ａがダクト８の排出口９Ｂとほぼ同一位置で終端する。
【００１９】
ダクト８Ａ；８Ｂの排出口９Ｂに内周壁面２Ａの円周方向の一方に向けて湾曲する排出プレート２０が設けられたことにより、排出口９Ｂから吹き出す空気の流れは、排出プレート２０の湾曲に沿った流れとなる。具体的には、図３の矢印に示すように、ダクト８Ａ；８Ｂの排出口９Ｂからは、加熱された空気が内周壁面２Ａの円周方向に沿って一方向となるように同一円周方向に向けて排出される。このように、内周壁面２Ａに対して複数配設されたダクト８Ａ；８Ｂの排出口９Ｂに、内周壁面２Ａの同一円周方向に向けて延長する排出プレート２０を設け、加熱された空気を排出口９Ｂから内周壁面２Ａの同一円周方向に向けて排出することにより、圧力容器２内に旋回流を発生させることができる。
【００２０】
図６は、圧力容器２内に発生する旋回流を模式的に示す図である。
同図に示すように、ダクト８Ａ；８Ｂの排出プレート２０を通過し、内周壁面２Ａに沿うように排出された空気は、それぞれ気密扉３に衝突し、加硫領域Ｒ１を形成する気密扉３の裏面３Ａを円周方向に沿って流れることで、内周壁面２Ａに沿って回転する流れが生じる。そして、回転する空気は、気密扉３側から閉塞端側に内周壁面２Ａに沿って円を描くように螺旋状に流れて、圧力容器２内における旋回流となって、隔壁７に設けられた熱源５を通過して空気供給領域Ｒ２に取り込まれる。具体的には、ダクト８Ａの排出プレート２０から排出された空気が、内周壁面２Ａに沿って下向きに流れて図６に示す一方の旋回流Ｆ１となり、ダクト８Ｂの排出プレート２０から排出された空気が内周壁面２Ａに沿って上向きに流れて図６に示す他方の旋回流Ｆ２となり、ダクト８Ａ；８Ｂが、互いに対向して均等に設けられているので、旋回流Ｆ２は旋回流Ｆ１に対してちょうど半周期ずれたように対向した位置を流れる旋回流となる。
【００２１】
図７（ａ）は従来の加硫缶内部の温度変化を示すグラフを示し、図７（ｂ）は本発明の加硫缶１の温度変化を示すグラフを示す。詳細には、図７（ａ）は従来の加硫缶の加硫領域内下部（図６のＰ１；Ｑ１に相当する位置）における気密扉３側の温度及び空気供給領域Ｒ２側の温度の時間変化を示したグラフである。また、図７（ｂ）は、図７（ａ）で温度を測定した同一の位置Ｐ１；Ｑ１の温度変化と、位置Ｐ１；Ｑ１に対向する上部の位置Ｐ２；Ｑ２（図６参照）とにおける温度の時間変化を示したグラフである。
従来の加硫缶では、図７（ａ）に示すように、気密扉３側下部の位置Ｐ１の温度が空気供給領域側下部の位置Ｑ１の温度に比べて急速に上昇し、加硫缶内の温度が一定となるまでに、約２０℃の温度差が生じた状態で加熱されている。そして、位置Ｐ１の温度と位置Ｑ１の温度とが最高温度に到達するまでに、およそ２０分の差が生じている。一方、本実施形態にかかる加硫缶１では、図７（ｂ）に示すように、気密扉３側上部及び下部の位置Ｐ１；Ｐ２の温度と、空気供給領域Ｒ２側上部及び下部の位置Ｑ１；Ｑ２の温度とが６０℃近傍までほぼ同一の温度勾配で上昇した後に、気密扉３側の位置Ｐ１；位置Ｐ２の温度と、空気供給領域Ｒ２側の位置Ｑ１；位置Ｑ２との間に温度に差が生じるものの、再びほぼ同一の温度勾配で上昇している。気密扉３側の位置Ｐ１；Ｐ２の温度と、空気供給領域Ｒ２側の位置Ｑ１；Ｑ２との間での温度の差は約５℃程度のもので、従来の加硫缶で生じる温度差に比べて非常に小さなものとなる。つまり、本発明の加硫缶１は、加硫領域Ｒ１内に旋回流を発生させて、ファン６によって加熱された空気を循環させることにより、圧力容器２内をほぼ均一に温度上昇させることが可能となる。
つまり、本発明の加硫缶１では、圧力容器２内の温度が延長方向においてほぼ均一に温度上昇するので、圧力容器２の延長方向に沿って並べて格納された複数のタイヤ１０の加硫において、タイヤ１０が格納される位置にかかわらず均一な温度上昇により加硫することができる。さらに、圧力容器２の上部，下部についても均一に温度上昇するので、個々のタイヤに対して円周方向から均一な温度上昇により均一に加熱することができ、タイヤ全体を均一に加硫することができる。
【００２２】
また、ダクト８を加硫缶１に設ける他の形態として、図４（ａ）乃至図４（ｄ）に示すように設けてもよい。
図４（ａ）は、ダクト８を内周壁面２Ａ全域に設けた点で上記形態と異なる。それ以外の点については、上記形態と同様である。なお、以下の説明において、上記形態と同様の構成部分については、先に説明した図１，図２と同様の符号を付し、その詳細な説明を省略する。また、上記形態と同様の構成部分について適用される変形例は、本実施形態についても同様に適用される。
本形態のダクト８は、図４（ａ）に示すように、導風板２２を円筒状に形成して図外の方法によって圧力容器２内の内周壁面２Ａに固定され、内周壁面２Ａと導風板２２との間に空気を流通させて空気供給領域Ｒ２から気密扉３側まで加熱された空気を送出するようにしたものである。ダクト８には、気密扉３側の内周壁面２Ａと導風板２２との間に、同一円周方向に延長する複数の排出プレート２０が円周方向に複数設けられる。
即ち、本形態のダクト８の排出口９Ｂから排出された空気は、全体が内周壁面２Ａを円周方向に沿うように排出され、気密扉３に衝突する。気密扉３に衝突した空気は、導風板２２の内周面に沿って螺旋状の旋回流となって開閉端側から閉塞端側へ流れるので、加硫領域Ｒ１内に加熱された空気が停留することがなく、加硫領域Ｒ１全体を均等に温度上昇させることができる。
よって、本形態のようにダクト８を構成しても、上記形態と同様の効果を得ることができる。
【００２３】
また、ダクト８を加硫缶１に配設する他の形態として、図４（ｂ）に示す形態は、圧力容器２の内周壁面２Ａの円周方向において均等な間隔をもって３箇所配設するようにした点で上記形態と異なる。
具体的には、本形態のダクト８Ａ；８Ｂ；８Ｃは、図４（ｂ）に示すように、圧力容器２の内周壁面２Ａの円周方向において均等な間隔をもって３箇所配設される。各ダクト８Ａ；８Ｂ；８Ｃが備える排出プレート２０は、同一円周方向に延長するように構成される。
即ち、本形態のダクト８Ａ；８Ｂ；８Ｃの各排出口９Ｂから排出された空気は、それぞれ内周壁面２Ａを円周方向に沿うように排出され気密扉３に衝突する。気密扉３に衝突した空気は、それぞれ内周壁面２Ａの円周上において均一化された流速の旋回流となって開閉端側から閉塞端側へ流れるので、加熱された空気が加硫領域Ｒ１内に停留することがなく、加硫領域Ｒ１全体を均等に温度上昇させることができる。よって、本形態のようにダクト８を構成しても、上記形態と同様の効果を得ることができる。
【００２４】
また、ダクト８を加硫缶１に配設する他の形態として、図４（ｃ）に示す形態は、ダクト８を圧力容器２の内周壁面２Ａの円周方向において互いに対向するように均等な間隔をもって４箇所配設する点で上記形態と異なる。
具体的には、本形態のダクト８Ａ；８Ｂ；８Ｃ；８Ｄは、図４（ｃ）に示すように、圧力容器２の内周壁面２Ａの円周方向において互いに対向するとともに均等な間隔をもって４箇所配設され、各ダクト８Ａ；８Ｂ；８Ｃ；８Ｄが備える排出プレート２０を同一円周方向に延長するように構成したものである。なお、ダクト８Ａに対してダクト８Ｄが対向し、ダクト８Ｂに対してダクト８Ｃが対向する位置関係にある。
即ち、本形態のダクト８Ａ；８Ｂ；８Ｃ；８Ｄの各排出口９Ｂから排出された空気は、それぞれ内周壁面２Ａを円周方向に沿うように排出されて気密扉３に衝突する。気密扉３に衝突した空気は、それぞれ内周壁面２Ａの円周上において均一化された流速の旋回流となって開閉端側から閉塞端側へ流れるので、加硫領域Ｒ１内に加熱された空気が停留することがなく、加硫領域Ｒ１全体を均等に温度上昇させることができる。よって、本形態のようにダクト８を構成しても、上記形態と同様の効果を得ることができる。
【００２５】
また、ダクト８を加硫缶１に配設する他の形態として、図４（ｄ）に示す形態は、床板４を避けてダクト８を圧力容器２の内周壁面２Ａの円周方向において互いに対向するように４箇所配設した点で上記形態と異なる。
具体的には、本形態のダクト８Ａ；８Ｂ；８Ｃ；８Ｄは、図４（ｄ）に示すように、圧力容器２の内周壁面２Ａの円周方向において互いに対向するとともに均等な間隔をもって４箇所配設され、各ダクト８Ａ；８Ｂ；８Ｃ；８Ｄが備える排出プレート２０を同一円周方向に延長するように構成したものである。なお、ダクト８Ａに対してダクト８Ｄが対向し、ダクト８Ｂに対してダクト８Ｃが対向する位置関係にある。また、ダクト８Ａ及びダクト８Ｃ、ダクト８Ｂ及び８Ｄの組み合わせは、円周方向に均等分割された位置に配置される。
即ち、本形態のダクト８Ａ；８Ｂ；８Ｃ；８Ｄの各排出口９Ｂから排出された空気は、それぞれ内周壁面２Ａを円周方向に沿うように排出されて気密扉３に衝突する。気密扉３に衝突した空気は、内周壁面２Ａに沿ってそれぞれ螺旋状の旋回流となって開閉端側から閉塞端側へ流れるので、加硫領域Ｒ１内に加熱された空気が停留することがなく、加硫領域Ｒ１全体を均等に温度上昇させることができる。よって、本形態のようにダクト８を構成しても、上記形態と同様の効果を得ることができる。さらに、床板４を避けるようにダクト８Ａ；８Ｂ；８Ｃ；８Ｄを圧力容器２の内周壁面２Ａの円周方向において互いに対向する４箇所に配設したことにより、ダクト８Ａ；８Ｂ；８Ｃ；８Ｄを保護するために作業者や搬入台車が通る床板の耐久性を高める必要がなくなり、製造コストを抑制することができる。
【００２６】
以上説明したように、本発明によれば、円筒状の圧力容器２内部に当該圧力容器２の延長方向に沿って複数のタイヤ１０を格納し、圧力容器２を密閉して、圧力容器２内部の一端側である閉塞端側に設置された熱源５及びファン６を駆動し、ファン６によって送風された空気を複数のダクト８により圧力容器２の他端側である開閉端側で排出し、複数のダクト８の各排出口９Ｂから排出される空気を圧力容器２の同一円周方向に向けて排出して、複数のタイヤ１０を圧力容器２の円周方向に旋回する旋回流内で加硫することにより、圧力容器２内部の温度を均一にしてタイヤ１０を加硫することができる。
即ち、熱源５によって加熱され、ファン６及び複数のダクト８によって空気供給領域Ｒ２から圧力容器２の開閉端側に流れ込んだ空気が、ダクト８の排出口９Ｂ側に同一円周方向を向くように傾斜して設けられた排出プレート２０から圧力容器２の内周壁面２Ａに沿うように同一円周方向に向けて排出されるため、開閉端側から閉塞端側へ流れ込む空気が圧力容器２の円周方向に沿って旋回する旋回流となって、圧力容器２内全体に強制的な対流を生じさせ、圧力容器２内の停留をなくすことにより、熱源５によって加熱された空気が圧力容器２内に行き渡るので、圧力容器２内における温度分布を均一化することが可能となる。よって、本発明の加硫缶１によって加硫されたタイヤ１０は、圧力容器２の延長方向における位置、及び、タイヤ１０の円周方向の位置にかかわらず均一な温度によって加熱されるため、加硫缶１における位置にかかわらず均一な加硫度でタイヤ１０を加硫することができる。
【００２７】
また、排出プレート２０をダクト８に設ける他の形態としては、図示しないが、排出プレート２０を圧力容器２の気密扉３に設けてもよい。
具体的には、本形態の排出プレート２０をダクト８の延長上の気密扉３に設け、圧力容器２の内周壁面２Ａの円周方向に沿うように同一円周方向に延長するようにした。
即ち、ダクト８の排出口９Ｂから排出された空気は気密扉３に衝突し、気密扉３に衝突した空気が排出プレート２０によって円周方向にガイドされることで内周壁面２Ａに沿うように流れ、圧力容器２内において螺旋状の旋回流となって開閉端側から閉塞端側へ流れる。圧力容器２内に旋回流が生じることで加硫領域Ｒ１内に加熱された空気は停留することがなく、加硫領域Ｒ１全体を均等に温度上昇させることができる。よって、本形態のように排出プレート２０を構成しても、上記形態と同様の効果を得ることができる。
【００２８】
また、上記形態では、圧力容器２内部の一端側である閉塞端側に熱源５及びファン６を設置，駆動することで、熱源５によって加熱されファン６によって送風された空気を複数のダクト８により圧力容器２の他端側である開閉端側で排出するとして説明したが、他端側である開閉端側の例えば気密扉３に熱源５及びファン６を設置し、ファン６によって送風された空気を複数のダクト８により圧力容器２の一端側である閉塞端側で排出するようにしてもよい。つまり、閉塞端側で開口するダクト８に、ダクト８の内部から排出口に向かうに従って、内周壁面２Ａの図３の白抜き矢印で示すような円周方向の一方に向けて湾曲し、先端部２０Ａがダクト８の排出口とほぼ同一位置で終端するように排出プレート２０を設ければよい。このように構成しても、複数のダクト８の各排出口から排出される空気を圧力容器２の同一円周方向に向けて排出して、複数のタイヤ１０を圧力容器２の円周方向に旋回する旋回流内で加硫することにより、圧力容器２内部の温度を均一にしてタイヤ１０を加硫することができる。
【００２９】
以上、本発明を実施の形態を用いて説明したが、本発明の技術的範囲は上記実施の形態に限定されるものではない。上記実施の形態に多様な変更、改良を加え得ることは当業者にとって明らかであり、そのような変更又は改良を加えた形態も本発明の技術的範囲に含まれ得ることが、特許請求の範囲の記載から明らかである。
【符号の説明】
【００３０】
１  加硫缶、２  圧力容器、２Ａ  内周壁面、３  気密扉、４  床板、５  熱源、
６  ファン、６Ａ  モータ、６Ｂ  回転翼、７  隔壁、８；８Ａ〜８Ｄ  ダクト、
９Ａ  取り込み口、９Ｂ  排出口、１０  タイヤ、２０  排出プレート、
２０Ａ  先端部、２１  板片、２２  導風板、Ｆ１；Ｆ２  旋回流、Ｒ１  加硫領域、
Ｒ２  空気供給領域。
【図１】
0005702241.tif 000002
【図２】
0005702241.tif 000003
【図３】
0005702241.tif 000004
【図４】
0005702241.tif 000005
【図５】
0005702241.tif 000006
【図６】
0005702241.tif 000007
【図７】
0005702241.tif 000008
【図８】
0005702241.tif 000009